(57)【要約】  本発明は、照明装置（１０）に関する。照明装置は、導光板（１２）と、少なくとも１つの発光ダイオード（ＬＥＤから放射）の配列（１４）とを含み、ＬＥＤから放射は、導光板内に配置される孔内に収容され、各孔は、ＬＥＤからの光がそこを通じて導光板内に横方向に結合されることが意図される少なくとも２つの側部切子面（１８）と、少なくとも２つの側部切子面の２つの収束する側部切子面によって形成される少なくとも１つの隅部（２０）とを有する。これは隣接する光源でＴＩＲを促進し、従って、隣接する孔での吸収又は散乱に起因する損失を減少する。
2010521038.tif 000002
【特許請求の範囲】
【請求項１】
導光板と、
該導光板内に配置される孔の内に収容される発光ダイオードの少なくとも１つの配列とを含み、
各孔は、
少なくとも２つの側部切子面を有し、前記孔内に配置される発光ダイオードからの光は、該少なくとも２つの側部切子面を通じて、前記導光板内に横方向に取り込まれ、
前記少なくとも２つの側部切子面の２つの収束する側部切子面によって形成される、少なくとも１つの隅部を有する、
照明装置。
【請求項２】
前記孔は、孔内に配置される発光ダイオードからの光が、隣接する孔の前記側部切子面から反射して離れるよう方向付けられるサブビームに分割されるように配置される、請求項１に記載の照明装置。
【請求項３】
１つの孔の前記少なくとも１つの隅部の隅部は、隣接する孔に向かって向く、請求項１又は２に記載の照明装置。
【請求項４】
前記孔の中心と前記隅部との間の仮想線の延長は、前記隣接する孔を横断する、請求項３に記載の照明装置。
【請求項５】
前記１つの孔の前記隅部と前記隣接する孔の隅部とは、互いに向かって向き合う、請求項３に記載の照明装置。
【請求項６】
各孔の横断面は、正方形である、請求項１乃至５のうちのいずれか１項に記載の照明装置。
【請求項７】
前記導光板は、前記導光板から光を取り出すための少なくとも１つの取出し構造を含み、各孔の前記側部切子面は、前記少なくとも１つの取出し構造と整列される、請求項１乃至６のうちのいずれか１項に記載の照明装置。
【請求項８】
前記少なくとも１つの発光ダイオード配列は、少なくとも１つの直線的な発光ダイオード配列を含む、請求項１乃至７のうちのいずれか１項に記載の照明装置。
【請求項９】
前記導光板は、正方形の形状であり、前記少なくとも１つの直線的な発光ダイオード配列は、前記正方形の導光板に対して斜めに、好ましくは、約４５°に配置される、請求項８に記載の照明装置。
【請求項１０】
前記少なくとも１つの発光ダイオード配列は、少なくとも１つの円形の発光ダイオード配列を含む、請求項１乃至７のうちのいずれか１項に記載の照明装置。
【請求項１１】
前記導光板は、円形の形状である、請求項１０に記載の照明装置。
【請求項１２】
前記導光板は、方向付け手段をさらに含み、該方向付け手段は、前記発光ダイオードから放射される光を、前記方向付け手段を通過して、孔のない前記導光板の地域に向かって方向付ける、請求項１乃至１１のうちのいずれか１項に記載の照明装置。
【請求項１３】
前記発光ダイオード配列は、前記導光板の反射縁部に沿って配置され、前記方向付け手段は、前記縁部によって反射される光が前記配列の前記孔の間の空間に向かって方向付けられるよう配置されるスリットを含む、請求項１２に記載の照明装置。
【請求項１４】
前記導光板は、直角三角形の形状を有し、前記三角形の導光板の１つの隣辺は、反射縁部によって形成される、請求項１３に記載の照明装置。
【請求項１５】
前記三角形の導光板の他の隣辺は、反射縁部によって形成され、前記三角形の導光板の斜辺は、前記導光板から光を取り出すための取出し構造を含む、請求項１４に記載の照明装置。
【請求項１６】
２つの発光ダイオード配列が、互いに対して沿って配置され、前記方向付け手段は、１つの配列からの光が、前記他の配列の孔の間の空間に向かって方向付けられるよう配置される、請求項１２に記載の照明装置。
【発明の詳細な説明】
【技術分野】
【０００１】
本発明は、導光板と、複数の発光ダイオードとを含む、照明装置に関する。
【背景技術】
【０００２】
発光ダイオード（ＬＥＤ）のような固体光源の輝度、ルーメン効力、及び値頃感における進歩は、隙間市場に最早制約されない新しい照明用途を可能にする。ＬＥＤは、伝統的な光源に対して、長寿命、低動作電圧、瞬時オン等のような、幾つかの利点をもたらす。これらの及び他の理由のために、ＬＥＤは、色可変ランプ、スポットライト、ＬＣＤ背面照明、建築照明、舞台照明等のような、幾つかの用途のためのランプを作成するのにより一層適するようになってきている。
【０００３】
多くの照明用途のために、単一のＬＥＤの光は十分ではなく、複数のＬＥＤの光が、光源を形成するために組み合わされる必要がある。１つの解決策は、光が照明装置から出る前に、複数のＬＥＤの光をライトガイド内で混合することである。そのような解決策の一例は、Ｌｕｍｉｌｅｄｓによる文献“ＬＥＤ  Ｂａｃｋｌｉｇｈｔ  ｄｅｓｉｇｎｓ  ｕｓｉｎｇ  Ｌｕｘｅｏｎ  ｈｉｇｈ  ｆｌｕｘ  ｌｉｇｈｔ  ｓｏｕｒｃｅ  ｓｏｌｕｔｉｏｎｓ，”Ｓｅａｔｔｌｅ  ２００４，ｈｔｔｐ：／／ｌｕｍｉｌｅｄｓ．ｃｏｍ／ｐｄｆｓ／Ｌｕｘｅｏｎ＿ｌｉｇｈｔ＿ｓｏｕｒｃｅ＿ｓｏｌｕｔｉｏｎｓ．ｐｄｆ中に開示されている。この文献中に記載される側方放射ＬＥＤに基づく背面照明（バックライト）が、図１ａ−１ｂ中に概略的に例証されている。図１ａ−１ｂを参照すると、背面照明１００は、円形の通孔１０４を備えるライトガイド１０２を含み、通孔は、導光板の縁部１０６に沿って直線配列に配置されている。各通孔内には、側方放射ＬＥＤ１０８が設けられ、それによって、ＬＥＤからの光は、例示的な光線軌跡によって例証されるように、通孔の側壁を通じてライトガイド内に結合される。
【０００４】
しかしながら、そのような解決策では、取込み孔１０４が近接して離間されるとき、１つのＬＥＤから放射からの光が、隣接する孔１０４を通じてライトガイド１０２から離れ、孔内部のＬＥＤ１０８ｂで吸収され或いは散乱されることが起こり得る。これは図１ａ中に例示的な光線軌跡１１２によって例証されている。模擬実験は、高密度に詰め込まれた側方放射ＬＥＤの線形配列のために、光漏洩は、典型的には、約１０％（隣接毎に５％）であることを示した。よって、そのような照明装置のルーメン効率は劣化される。
【発明の概要】
【発明が解決しようとする課題】
【０００５】
この問題を克服し或いは少なくとも軽減し、改良されたルーメン効率を備える照明装置を提供することが、本発明の目的である。
【課題を解決するための手段】
【０００６】
以下の記載から明らかであろうこの及び他の目的は、導光板と、導光板内に配置される孔の内に収容される発光ダイオード（ＬＥＤ）の少なくとも１つの配列とを含み、各孔は、少なくとも２つの側部切子面を有し、孔内に配置されるＬＥＤからの光は、少なくとも２つの側部切子面を通じて導光板内に横方向に取り込まれ、さらに、少なくとも２つの側部切子面の２つの収束する側部切子面によって形成される少なくとも１つの隅部を有する、照明装置を用いて達成される。
【０００７】
２つの取込み側部切子面の間の隅部を備える孔構造を用いて、孔内に配置されるＬＥＤからの光は、サブビームに分割され得る。それらのそれぞれは、その由来する側部切子面に対して多かれ少なかれ垂直であり、光が隣接する孔に進入するのを防止するよう光の方向を制御することを可能にする。結果として、照明装置内の隣接する光源での吸収又は散乱に起因する損失は減少され得るし、発光装置のルーメン効率は増大され得る。この目的を達成するために、好ましくは、孔は、サブビームが隣接する孔の側部切子面から反射して離れ、結果的に、隣接する孔に進入しないよう配置される。
【０００８】
例えば、１つの実施態様では、１つの孔の少なくとも１つの隅部の隅部は、隣接する孔に向かって向く。即ち、好ましくは、孔の中心と隅部との間の仮想線の延長は、隣接する孔を横断する。孔の隅部を所与方向に向けることによって、より少ない光がその方向に送られる。従って、１つの孔の取込み側部切子面を通じて導光板内に取り込まれる光は、（仮に衝突するとしても）、一般的には、（例えば、上記に議論された従来技術の場合と比べて）より大きな入射角で隣接する孔の側部切子面に衝突し、それによって、光がその孔に進入しないよう、隣接する孔の側部切子面での全反射（ＴＩＲ）の蓋然性を増大する。
【０００９】
他の実施態様では、１つの孔の隅部と隣接する孔の隅部とは、互いに対して向き合う。即ち、１つの孔の隅部は、隣接する孔に向かってのみならず、具体的に、隣接する孔の隅部に向かってさえも向く。これは第一の孔からの光が第二の隣接する孔に進入せず（並びにその逆）、その代わりにＴＩＲによって反射されることを保証する。
【００１０】
上記されたように、「隅部」を備える孔は、単一の隅部孔に必ずしも限定されない。これを達成するために、好適実施態様において、各孔は、正方形の横断面（導光板の平面に対して「横」）を有する。代替的に、孔は、三角形、五角形、六角形、菱形、凧形状であり得るし、対向する円弧の形状等を有し得る。さらに、形状は、必ずしも規則的である必要はない。
【００１１】
導光板は、好ましくは、導光板から光を取り出すために、少なくとも１つの取出し構造を含む。取出し構造は、例えば、導光板の縁部、又は、導光板からの光を導光板法線の方向に向けるよう導光板内に配置される傾斜鏡であり得る。代替的に、取出し構造は、例えば、溝、窪み、又は、散乱材料によって形成され得る。取出し構造に関して、孔の側部切子面は、好ましくは、少なくとも１つの取出し構造と整列される。そのような構造は、孔から放射する光ビームが、本質的に垂直方向から取出し構造に衝突し、それは導光板から取り出される均一で平行化された光をもたらし得る。好適実施態様において、導光板は、取出し縁部を備える正方形の形状を有し、隅部が相対して配置される正方形孔の直線的配列は、正方形の導光板の対角線と整列される。そのような実施態様では、正方形孔の側部切子面は、正方形の導光板の取出し縁部と多かれ少なかれ平行である。単一のＬＥＤ配列が、対角線上に配置され得るし、或いは、例えば、正方形の導光板に対して約４５°回転された正方形を形成する４つのＬＥＤ配列が使用され得る。
【００１２】
直線的な配列の代わりに、ＬＥＤは、代替的に、円形の配列に配置され得る。円形の配列において、孔形状は、取出しを促進するよう且つ／或いは配列の両側のＬＥＤ間の相互作用を防止するよう選択され得る。また、導光板は、取出し構造に向かう入射角が大きくなり過ぎないことを保証するために、円形のＬＥＤ配列と同心の取出し円周を備える円形の形状を有し得る。
【００１３】
導光板は、さらに、ＬＥＤから放射される光を孔のない導光板の地域に向かって放射するための手段を有し得る。方向付け手段は、例えば、スリット又は他の反射素子を含み得る。ＬＥＤ配列が導光板の反射縁部に沿って配置される１つの実施態様では、方向付け手段は、縁部によって反射される光が配列の孔の間の空間に向かって標的されるよう配置されるスリットを含み、それによって、光が付近の光源で失われる蓋然性を有意に減少する。具体的な実施態様において、導光板は、直角三角形の形状を有し、そこでは、三角形の導光板の１つの隣辺は、反射縁部によって形成され、ＬＥＤはそれに沿って配置される。他の隣辺も、好ましくは、反射縁部であり、斜辺は、好ましくは、上記に議論されたように、導光板から光を取り出すための取出し構造を含む。そのような三角形の照明装置は、均一で平行化された光分配を有する。２つのＬＥＤ配列が互いに対して沿って配置される他の実施態様では、方向付け手段は、１つの配列からの光が他の配列の孔の間の空間に向かって標的されるよう配置されるスリットを含み、それによって、光が付近の光源で失われる蓋然性を有意に減少する。
【００１４】
本発明のこの及び他の特徴は、本発明の現時点での好適な実施態様を示す付属の図面を参照して、より詳細に今や記載される。
【図面の簡単な説明】
【００１５】
【図１ａ】従来技術に従った背面照明を示す上面図である。
【図１ｂ】図１ａの背面照明を示す側部断面図である。
【図２ａ】本発明の実施態様に従った照明装置を部分的に示す上面図である。
【図２ｂ】図２ｂの照明装置を示す側部断面図である。
【図３ａ】図２ａ−２ｂ中に開示される種類の様々な照明装置を示す概略図である。
【図３ｂ】図２ａ−２ｂ中に開示される種類の様々な照明装置を示す概略図である。
【図３ｃ】図２ａ−２ｂ中に開示される種類の様々な照明装置を示す概略図である。
【図３ｄ】図２ａ−２ｂ中に開示される種類の様々な照明装置を示す概略図である。
【図３ｅ】図２ａ−２ｂ中に開示される種類の様々な照明装置を示す概略図である。
【図３ｆ】図２ａ−２ｂ中に開示される種類の様々な照明装置を示す概略図である。
【図３ｇ】図２ａ−２ｂ中に開示される種類の様々な照明装置を示す概略図である。
【図４ａ】例示的な孔形状を示す概略図である。
【図４ｂ】例示的な孔形状を示す概略図である。
【図４ｃ】例示的な孔形状を示す概略図である。
【図５】円形のＬＥＤ配列を備える実施態様に従った照明装置を示す上面図である。
【図６ａ】反射縁部を有する導光板を備える照明装置を示す上面図である。
【図６ｂ】本発明の他の実施態様に従った追加的なスリットを備える図６ａの照明装置を部分的に示す上面図である。
【図６ｃ】図６ｂの照明装置の他の実施態様を概略的に示す上面図である。
【図７ａ】ＬＥＤの平行な配列を備える照明装置を示す上面図である。
【図７ｂ】本発明のさらに他の実施態様に従った追加的なスリットを備える図７ａの照明装置を示す上面図である。
【発明を実施するための形態】
【００１６】
本発明に従った照明装置に基づく発光ダイオード（ＬＥＤ）が、図２ａ−２ｂを参照して今や記載される。１０で示される照明装置は、導光板（ライトガイド板）１２を含む。導光板１２は透明であり、例えば、ガラス又はプラスチックで作成され得る。
【００１７】
照明装置は、さらに、概ね１６で示される孔内に収容され且つ導光板１２内に配置される、概ね１４で示される複数のＬＥＤを含む。孔１６は、（図２ｂにおけるような）貫通孔又は導光板１２の一方の側にのみ向かう開口を有する孔であり得る。ＬＥＤ１４は、好ましくは、側方放射（サイドエミッティング）全方向ＬＥＤである。代替的に、一方向ＬＥＤ又は反対方向に標的される一方向ＬＥＤの群れが使用され得る。
【００１８】
図２ａ−２ｂ内に例証される実施態様中の各孔１６は、概ね１８で示される４つの取込み側部切子面(in-coupling  side  facet)を備える正方形である。各２つの隣接する取込み側部切子面の間には、概ね２０で示される隅部が形成される。正方形孔の隅部は９０°である。ＬＥＤ１４が動作しているとき、光は側部切子面１８を通じて導光板１２内に取り込まれ、孔１６のそれぞれの側部切子面１８に対して本質的に直角な４つの光線のビームを形成する。
【００１９】
孔１６は、さらに、導光板の平面において見られるときに、孔１６ａの少なくとも１つの隅部２０ａが隣接する孔１６ｂに向かって向くように方向付けられ且つ配置される。より具体的には、図２ａ−２ｂ内に例証される実施態様において、ＬＥＤ１４（及び、結果的に、孔１６）は、孔１６ａの隅部２０ａが、隣接する孔１６ｂの隅部２０ｂに向かって向き、隣接する孔１６ｂの隅部２０ｂが、孔１６ａの隅部２０ａに向かって向くように、直線的な配列２２内に配置される。換言すれば、孔は、位置から側部に沿う側部に約４５°回転される。
【００２０】
照明装置１０の回転直後、隣接する孔１６ｂの側部切子面１８ｂに衝突する、孔１６ａから側部切子面１８を通じて導光板１２内に取り込まれる光２４は、孔が円形形状を有し且つ入射角が極めて小さくあり得る図１ａ−１ｂ中に例証される従来技術の場合と比較して、より大きな入射角で衝突し得る。それによって、隣接する孔１６ｂの側部切子面１８ｂでの全反射（ＴＩＲ）の蓋然性は、有意に増大される。結果的に、より少量の光が隣接する孔１６ｂに進入するか或いは光は全く進入しないので、僅かな散乱及び／又は吸収がその孔１６ｂ内のＬＥＤ１４で起こるか或いは起こらない。全体的に、これは照明装置１０のルーメン効率を増大する。
【００２１】
照明装置１０は、導光板１２から光を取り出すための手段（図示せず）、例えば、傾斜反射素子をさらに含み得る。
【００２２】
ＴＩＲは、上記の脈絡では、導光板１２及び孔１６材料に鑑み、孔１６ａからの光が十分に大きな入射角で隣接する孔１６ｂの側部切子面１８ｂに衝突すると推定する。入射角は、屈折境界で法線に対して測定される。ガラス（約１．５の屈折率ｎ）から成る導光板１２及び空気で充填された孔１６のために、そのような入射角は、逆サイン１／ｎ＝４２°のオーダである。この目的を達成するために、上記の実施態様では、孔１６ｂの最近接する側部切子面１８ｂに向かって垂直な側部切子面に対して４２°以下で孔１６ａから出る如何なる光２６も、４８°以上（＞４２°、６°の安全限界）で側部切子面に衝突し（或いは、側部切子面１８ｂに全く衝突せず）、結果的に、孔１６ｂに進入せずに反射される。対照的に、孔１６ｂの側部切子面１８ｂに向かって、例えば、５０°以上で孔１６ａから出る如何なる光も、その側部切子面４０°以下（＜４０°）でその側部切子面に衝突し、よって、孔１６ｂに進入する。しかしながら、上記のような正方形孔内で全方向側方エミッタを使用するとき、出射角は、当業者によって理解されるように、４２°を越えない。
【００２３】
また、出射角及び入射角、よって、ＴＩＲの発生は、孔の形状に依存する。即ち、隣接する孔でのＴＩＲの蓋然性は、対向する鈍角隅部のためよりも、対向する鋭角隅部のために概ねより大きい。この目的を達成するために、隅部半径及び隣接する孔の整列に依存する、隣接する孔の出口側部切子面１８ａと受取側部切子面１８ｂとの間の相対的な角度は、ＴＩＲを許容するよう十分に大きくあるべきである。上記の実施態様には、ＴＩＲのために直線的な配列内での９０°の面取半径（正方形孔）が十分であることが示されている。図２ａ−２ｂ内に開示される種類の様々な照明装置が、図３ａ−３ｇに関連して今や記載される。
【００２４】
図３ａは、正方形の導光板１２を有する照明装置１０の上面図である。導光板１２の外側縁部２８は、導光板から光を取り出すよう構成されている。上記の図２ａに関連して議論された種類の１つの直線的な配列２２が、導光板１２内にさらに設けられている。即ち、配列２２は、孔１６の側部切子面１８が導光板１２の取出し縁部２８と平行であるよう、導光板１２の対角線方向と整列されている。このようにして、動作中、孔１６から放射する殆どの光ビームは、本質的に垂直方向から縁部２８に衝突する。
【００２５】
図３ｂの照明装置は、図３ｂの正方形の照明装置のさらなる進展である。図３ｂの照明装置１０では、正方形の形状を備える孔３０が導光板１２の中心に設けられ、結果として得られる内側縁部３２は、導光板１２から光を取り出すよう構成されている。上記の図２ａに関連して議論された種類の４つの直線的な配列２２が、導光板１２内にさらに設けられている。即ち、孔及びＬＥＤを備える４つの配列２２は、導光板１２に対して約４５°回転された正方形を形成し、その正方形は、中心孔３０の周りに配置されている。即ち、配列２２は、孔の側部切子面が導光板１２の取出し縁部２８及び３２と平行であるよう、導光板１２の対角線と整列されている。このようにして、動作中、孔１６から放射する殆どの光は、本質的に垂直方向から縁部２８及び３２に衝突し、それは導光板１２から取り出される均一で平行化された光をもたらす。
【００２６】
図３ｃ中の照明装置１０は、互いに隣り合って配置される図３ｂ中に例証される種類の２つの正方形の照明装置で構成される長方形の照明装置である。互いに面し合う２つの外側取出し縁部２８ａ及び２８ｂは、選択的に、鏡と置換され得る。
【００２７】
図３ｄ−３ｅは、他の長方形の照明装置１０を例証しており、そこでは、基本的に、図３ｂからの正方形の中心孔と回転された正方形の４つの配列が２つに分割され且つ互いに離間し、直角に配置された２つの直線的な配列２２と、長方形の形状と取出し縁部３２とを備える孔３０とをそれぞれ含む二組を形成している。追加的な取出し構造３４が各組に配置され得るし、或いは、単一の取出し構造３４が２つの組の間に配置され得る。取出し構造３４は、例えば、傾斜鏡又は類似物であり得る。
【００２８】
図３ｆは、他の長方形の照明装置１０を例証しており、そこでは、２つの直線的な配列２２が、導光板１２の中央に配置される「Ｘ」を形成している。
【００２９】
最後に、図３ｇは、互いに隣り合って配置された図３ａ中に例証される種類の２つの正方形の照明装置で構成されるさらに他の長方形の照明装置１０を例証している。２つの対角線的に配置される直線的な配列２２は、互いの鏡像である。
【００３０】
上記の図２−３におけるような正方形の形状の孔１６の代わりに、孔は、三角形孔（図４ａ）、六角形孔（図４ｂ）、及び、対向する円弧の形状を備える孔（図４ｃ）のような、類似の結果を達成する他の形状を有し得る。図４ｂの六角形孔は、上記に議論されたようなＴＩＲを保証するために、互いに面し合うより鋭い隅部を備える不規則な八角形を有することに留意せよ。また、上記の図２−３におけるような直線的な配列の代わりに、ＬＥＤ１４は、図５中に概略的に例証されるように、円形の配列に配置され得る。図５において、正方形の形状の孔は、円に配置されている。円は、隣接する孔でのＴＩＲが妥協されないよう、十分な半径を有すべきである。より具体的には、正方形の孔のために、孔は、ＴＩＲが維持された状態で、互いに対して約６°（上述された安全限界）まで回転され得る。円形の配列は、取出し円周（図示せず）を備える円形の導光板と有利に組み合わせられる。そのような円形のライトガイドは、図３ｂ中の同上の正方形と類似する内側取出し構造も有し得る。
【００３１】
図６ａ−６ｂは、導光板が鏡のような反射縁部３６を追加的に有する照明装置１０を例証している。反射縁部３６は、如何なる光も導光板１２の縁部を通じて逃げ出すことを防止するよう働き、縁部に入射する光を反射して導光板１２内に戻す。しかしながら、隅部が相対して配置される正方形の孔１６を通じてさえも、１つの孔１６ａからの光は、ＴＩＲが起こらず、光は孔１６ｂに進入し、且つ、孔１６ｂ内に収容されるＬＥＤ１４ｂで散乱／吸収されるような入射角を伴って、反射縁部３６によって他の付近の孔１６ｂに向かって反射され得る。これは例示的な光線軌跡３８によって図６ａ中に例証されている。
【００３２】
これを防止するために、導光板１２は、縁部によって反射される光が、図６ｂ中に例証されるように、孔１６の間の空間４２に向かって標的されるよう配置される、複数の空気スリット４０を備える。反射縁部３６に対して約４５°回転され且つ反射縁部３６に近接して配置される正方形の孔１６のために、空気スリット４０は、孔１６と反射縁部３６から離れる方向に面する側部切子面１８ｃの延長における反射縁部３６との間に延在している。よって、別個のライトガイド４４が形成され、それらのそれぞれは、反射縁部３６に向かって側部切子面１８の法線の方向に延在し、側部切子面１８の長さｌと等しい幅を有している。さもなければ（図６ａにおけるように）縁部３６で反射されて離れ孔１６ｂ内に入るであろう、スリット４０の１つと多かれ少なかれ平行な小さな出射角で放射される光線４４は、ＴＩＲを介してスリット４０によって反射される。よって、一般的には、側部切子面から出る複数の光線で構成されるビームの拡散(divergence)は、スリット４０を用いて制限される。縁部３６での反射の後、光線４４は方向を変え、より小さい入射角でスリット４０に向かって進行し、従って、それを通過し、孔１６ａと孔１６ｂとの間の空間４２内に進入する。しかしながら、間違った方向への一部のフレネル反射（フレネル損失）が起こり得る。これらのフレネル損失は、スリット４０を導光板１２の材料の屈折率よりも低い屈折率を備える材料で充填することによって抑制され得る。
【００３３】
図６ｃは、図６ｂの照明装置の特殊な実施態様を概略的に例証している。ここでは、導光板１２は、直角三角形の形状を有している。それに沿ってＬＥＤ１４が配置される反射縁部３６は、直角三角形の１つの隣辺又は脚側を構成している。他の隣辺も、反射縁部４６であり、斜辺は、傾斜反射縁部の形態の取出し構造４８を含む。反射縁部は、例えば、ＴＩＲ鏡又は標準的な鏡であり得る。
【００３４】
動作直後、各孔１６の全ての４つの側部切子面から放射される光は、直接的に或いは反射斜辺縁部３６及び４６の少なくとも１つを介して、取出し構造４８に向かって方向付けられ、本質的に直角に取出し構造４８に衝突する。これは例示的な光線５０によって例証されており、それは均一で平行化された光分配をもたらす。
【００３５】
記載されたばかりの三角形の照明装置は、部屋の隅部に有利に配置され得る。照明目的を除けば、それは、例えば、テレビセットのための棚としても働き得る。三角形の照明装置は、スリット４０なしでも具現化され得るが、そのような三角形の照明装置は、幾分劣等な性能を有することが留意されるべきである。また、取出し構造４８は、直線である代わりに、長手方向において湾曲し得る。
【００３６】
図７ａ−７ｂは、ＬＥＤ１４の直線的な配列２２ａがＬＥＤから放射１４の他の直線的な配列２２ｂと平行に配置された照明装置１０を例証している。しかしながら、隅部が相対して配置された正方形孔１６が使用されるとしても、１つの配列２２ａ内の孔１６ａからの光は、ＴＩＲが起こらず、光が孔１６ｂに進入し、且つ、孔１６ｂ内に収容されるＬＥＤ１４ｂで散乱され且つ／或いは吸収されるような入射角を伴って、他の配列２２ｂ内の付近の孔１６ｂ上に入射し得る。これは例示的な光線軌跡５２によって図７ａ内に例証されている。これを防止するために、導光板１２は、図６ｂ中に例証されるように、１つの配列２２ａからの光が他の配列２２ｂの孔の間の空間４２に向かって標的されるよう配置された、複数の空気スリット４０を備える。２つの直線的な平行なＬＥＤ配列２２ａ，２２ｂ内に隅部が相対されて配置された正方形孔１６のために、１つの配列２２ａの空気スリット４０は、他の配列２２ｂから離れる方向に面する側部切子面１８ｃの延長において他の配列２２ｂに面する側部切子面１８ａから離れる方向に延在する。さもなければ（図７ａに示されるように）配列２２ｂの孔１６ｂに進入するであろう、スリット４０ａの１つと多かれ少なかれ平行な小さな出射角で放射される光線５４は、ＴＩＲを介してスリット４０ａによって反射される。よって、一般的には、側部切子面から出る複数の光線から成るビームの拡散は、スリットを用いて制限される。スリット４０ａでの反射の後、光線５４は、より小さな入射角で配列２２ｂの対応するスリット４０ｂに向かって進行し、従って、それを通過し、空間４２に向かって導光板１２内に入る。
【００３７】
当業者は、本発明が上述された好適実施態様に決して限定されないことを認識する。逆に、付属の請求項の範囲内で、多くの修正及び変形が可能である。例えば、図６ｂ及び７ｂ中に例証される実施態様は、少なくとも平行なＬＥＤ配列と少なくとも１つの反射縁部とを備える照明装置内に組み込まれ得る。
【図１ａ】
2010521038.tif 000003
【図１ｂ】
2010521038.tif 000004
【図２ａ】
2010521038.tif 000005
【図２ｂ】
2010521038.tif 000006
【図３ａ】
2010521038.tif 000007
【図３ｂ】
2010521038.tif 000008
【図３ｃ】
2010521038.tif 000009
【図３ｄ】
2010521038.tif 000010
【図３ｅ】
2010521038.tif 000011
【図３ｆ】
2010521038.tif 000012
【図３ｇ】
2010521038.tif 000013
【図４ａ】
2010521038.tif 000014
【図４ｂ】
2010521038.tif 000015
【図４ｃ】
2010521038.tif 000016
【図５】
2010521038.tif 000017
【図６ａ】
2010521038.tif 000018
【図６ｂ】
2010521038.tif 000019
【図６ｃ】
2010521038.tif 000020
【図７ａ】
2010521038.tif 000021
【図７ｂ】
2010521038.tif 000022
【国際調査報告】
2010521038.tif 000023
2010521038.tif 000024